(57)【要約】  玉軸受の玉配置方法においては、内輪と外輪との間に形成される環状空間の円周方向に沿った一領域に、複数の玉を装填する玉入れ工程と、前記環状空間の前記一領域の円周方向外側に、装填した前記複数の玉を前記一領域内に留める流れ止め治具を配置する流れ止め工程と、前記環状空間に前記流れ止め治具が配置された状態から、前記流れ止め治具を前記環状空間から抜き取りながら、前記複数の玉の間に、前記玉の数に応じて突設される複数の作業矢の先端を軸方向に順次挿入して、前記複数の玉を円周方向に等間隔に配置する玉分け工程と、をこの順に実施する。
2019230023.tif 000002
【特許請求の範囲】
【請求項１】
内輪と外輪との間に形成される環状空間の円周方向に沿った一領域に、複数の玉を装填する玉入れ工程と、
前記環状空間の前記一領域の円周方向外側に、装填した前記複数の玉を前記一領域内に留める流れ止め治具を配置する流れ止め工程と、
前記環状空間に前記流れ止め治具が配置された状態から、前記流れ止め治具を前記環状空間から抜き取りながら、前記複数の玉の間に、前記玉の数に応じて突設される複数の作業矢の先端を軸方向に順次挿入して、前記複数の玉を円周方向に等間隔に配置する玉分け工程と、
をこの順に実施する玉軸受の玉配置方法。
【請求項２】
前記玉入れ工程は、前記外輪に対して前記内輪を前記一領域と反対側へ移動させ、前記環状空間を前記一領域において径方向へ広げてから前記玉を装填する請求項１に記載の玉軸受の玉配置方法。
【請求項３】
前記流れ止め工程は、前記流れ止め治具を、前記内輪及び前記外輪の軸方向に沿って前記環状空間に挿入する請求項１又は２に記載の玉軸受の玉配置方法。
【請求項４】
前記玉入れ工程は、前記内輪及び前記外輪を水平面から前記一領域を上にして傾斜させる請求項１〜３のいずれか一項に記載の玉軸受の玉配置方法。
【請求項５】
前記玉入れ工程から前記玉分け工程までを、前記内輪及び前記外輪を水平搬送させずに連続して実施する請求項１〜４のいずれか一項に記載の玉軸受の玉配置方法。
【請求項６】
外輪の中心に対して内輪の中心を偏心させて、前記内輪と前記外輪との間に形成される環状空間を、該環状空間の円周方向に沿った一領域で広げ、
前記外輪及び前記内輪を、前記内輪を偏心させた側と反対側を上に傾斜させて、前記環状空間の前記一領域に複数の玉を玉入れし、
前記外輪及び前記内輪を水平に戻しながら、前記複数の玉を前記一領域内に留める流れ止め治具を前記環状空間に挿入し、
前記流れ止め治具を前記環状空間から外しながら、前記玉の数に応じて突設される複数の作業矢を、前記複数の玉の間に挿入する玉軸受の玉配置方法。
【請求項７】
請求項１〜６のいずれか一項に記載の玉配置方法によって、前記内輪と前記外輪との間の前記環状空間に前記玉が等間隔に配置された玉軸受を製造する玉軸受の製造方法。
【請求項８】
内輪と外輪とを、前記内輪と前記外輪との間に環状空間を形成して保持させるワーク保持台と、
前記ワーク保持台に保持された前記内輪と前記外輪との間に形成される環状空間の円周方向に沿った一領域に、複数の玉を装填する玉入れ部と、
前記環状空間の前記一領域の円周方向外側に、装填した前記複数の玉を前記一領域内に留める流れ止め治具を配置する流れ止め機構と、
前記環状空間に前記流れ止め治具が配置された状態から、前記流れ止め治具が前記環状空間から抜き取られる際に、前記複数の玉間に、前記玉の数に応じて突設される複数の作業矢の先端を軸方向に順次挿入して、前記複数の玉を円周方向に等間隔に配置する玉分け部と、
を備える玉軸受の製造装置。
【請求項９】
前記外輪に対して前記内輪を前記一領域と反対側へ移動させ、前記環状空間を前記一領域において径方向へ広げる内輪移動機構を備える請求項８に記載の玉軸受の製造装置。
【請求項１０】
前記ワーク保持台に保持された前記内輪と前記外輪の軸方向垂直面を傾斜させる傾斜動作機構を備える請求項８又は９に記載の玉軸受の製造装置。
【請求項１１】
前記流れ止め治具は、前記環状空間の円周方向に沿って湾曲し、且つ、前記環状空間への挿入方向に沿って窄まる板状に形成されている請求項８〜１０のいずれか一項に記載の玉軸受の製造装置。
【請求項１２】
前記流れ止め治具は、一対の側辺を有し、
前記一対の側辺は、平面に展開した状態で直線状に形成され、且つ、前記環状空間に沿って湾曲させた状態で外側へ膨出する曲線状とされる請求項１１に記載の玉軸受の製造装置。
【請求項１３】
内輪と外輪とを、前記内輪と前記外輪との間に環状空間を形成して保持させるワーク保持台と、
前記ワーク保持台に保持された前記外輪に対して前記内輪を移動させ、前記環状空間に径方向へ広がる一領域を形成する内輪移動機構と、
前記ワーク保持台に保持された前記内輪と前記外輪の軸方向垂直面を傾斜させる傾斜動作機構と、
前記環状空間の円周方向に沿った一領域に、複数の玉を装填する玉入れ部と、
前記環状空間の前記一領域の円周方向外側に、装填した前記複数の玉を前記一領域内に留める流れ止め治具を配置する流れ止め機構と、
前記環状空間に前記流れ止め治具が配置された状態から、前記流れ止め治具が前記環状空間から抜き取られる際に、前記複数の玉の間に、前記玉の数に応じて突設される複数の作業矢の先端を軸方向に順次挿入して、前記複数の玉を円周方向に等間隔に配置する玉分け部と、
を備える玉軸受の製造装置。
【請求項１４】
請求項７に記載の玉軸受の製造方法を用いる機械の製造方法。
【請求項１５】
請求項７に記載の玉軸受の製造方法を用いる車両の製造方法。
【発明の詳細な説明】
【技術分野】
【０００１】
本発明は、玉軸受の玉配置方法、玉軸受の製造方法及び製造装置、並びに機械及び車両の製造方法に関する。
【背景技術】
【０００２】
玉軸受の内外輪間に複数の玉を等間隔に配置させる技術として、例えば、特許文献１に開示される方法がある。この方法では、内外輪間に収容された複数の玉を円周方向の一つの領域に集め、集められた複数の玉を、内外輪間の円周方向における３つの領域に分配する。そして、各領域に分配された複数の玉の各玉間に、複数の作業矢を軸方向に順次挿入して、複数の玉を円周方向に等間隔に配列している。
【先行技術文献】
【特許文献】
【０００３】
【特許文献１】日本国特開２００８−２００７８９号公報
【発明の概要】
【発明が解決しようとする課題】
【０００４】
上記の玉配置技術では、内外輪の間に玉を入れる玉入れ工程と、玉を円周方向へ等間隔に配置させる玉分け工程と、の間に、内外輪間に収容された複数の玉を円周方向の一つの領域に集める玉集め工程を行う。また、玉入れ工程及び玉集め工程と、玉分け工程と、を別のポジションで行うため、玉入れ工程後にワークを次工程に搬送する必要がある。このように、上記の玉配置技術は、工程数が多く、工程の移行に手間を要するため、作業性の改善が望まれていた。【０００５】
本発明の目的は、内外輪へ玉入れして等間隔に配置させる玉配置作業の作業性を向上させることが可能な玉軸受の玉配置方法、玉軸受の製造方法及び製造装置、並びに機械及び車両の製造方法を提供することにある。
【課題を解決するための手段】
【０００６】
（１）  内輪と外輪との間に形成される環状空間の円周方向に沿った一領域に、複数の玉を装填する玉入れ工程と、
前記環状空間の前記一領域の円周方向外側に、装填した前記複数の玉を前記一領域内に留める流れ止め治具を配置する流れ止め工程と、
前記環状空間に前記流れ止め治具が配置された状態から、前記流れ止め治具を前記環状空間から抜き取りながら、前記複数の玉の間に、前記玉の数に応じて突設される複数の作業矢の先端を軸方向に順次挿入して、前記複数の玉を円周方向に等間隔に配置する玉分け工程と、
をこの順に実施する玉軸受の玉配置方法。
この玉軸受の玉配置方法によれば、環状空間の円周方向に沿った一領域に複数の玉を装填する玉入れ工程と、作業矢によって玉を円周方向に等間隔に配置する玉分け工程とを連続的に行うので、玉入れ工程で環状空間に入れた玉を一か所に集める玉集め工程を省略できる。したがって、玉軸受における玉配置作業の工数を削減して作業性を向上できる。また、玉集め工程での玉擦り動作をなくすことで、玉傷発生のリスクを低減できる。しかも、玉入れ工程から玉分け工程を連続的に行うことで、内輪と外輪の間に玉が保持される変形代がない玉軸受であっても簡単に組み立てできる。【０００７】
（２）  前記玉入れ工程は、前記外輪に対して前記内輪を前記一領域と反対側へ移動させ、前記環状空間を前記一領域において径方向へ広げてから前記玉を装填する（１）に記載の玉軸受の玉配置方法。
この玉軸受の玉配置方法によれば、外輪に対して内輪を一領域と反対側へ移動させ、環状空間を一領域において径方向へ広げてから玉を装填するので、環状空間への玉入れを円滑に行うことができる。【０００８】
（３）  前記流れ止め工程は、前記流れ止め治具を、前記内輪及び前記外輪の軸方向に沿って前記環状空間に挿入する（１）又は（２）に記載の玉軸受の玉配置方法。
この玉軸受の玉配置方法によれば、一領域に集めて入れた玉の移動を流れ止め治具で規制して玉の散らばりを抑制できる。これにより、環状空間に入れた玉を散らすことなく、一か所に保持した状態で玉分けを行うことができる。【０００９】
（４）  前記玉入れ工程は、前記内輪及び前記外輪を水平面から前記一領域を上にして傾斜させる（１）〜（３）のいずれか一つに記載の玉軸受の玉配置方法。
この玉軸受の玉配置方法によれば、環状空間の一領域に入れた玉が自重で下方側へ移動して順に配列される。これにより、玉入れ工程を円滑に行うことができる。【００１０】
（５）  前記玉入れ工程から前記玉分け工程までを、前記内輪及び前記外輪を水平搬送させずに連続して実施する（１）〜（４）のいずれか一つに記載の玉軸受の玉配置方法。
この玉軸受の玉配置方法によれば、水平搬送させる際の玉の散らばりをなくすことができ、作業性の向上が図れる。【００１１】
（６）  外輪の中心に対して内輪の中心を偏心させて、前記内輪と前記外輪との間に形成される環状空間を、該環状空間の円周方向に沿った一領域で広げ、
前記外輪及び前記内輪を、前記内輪を偏心させた側と反対側を上に傾斜させて、前記環状空間の前記一領域に複数の玉を玉入れし、
前記外輪及び前記内輪を水平に戻しながら、前記複数の玉を前記一領域内に留める流れ止め治具を前記環状空間に挿入し、
前記流れ止め治具を前記環状空間から外しながら、前記玉の数に応じて突設される複数の作業矢を、前記複数の玉の間に挿入する玉軸受の玉配置方法。
この玉軸受の玉配置方法によれば、玉入れと、作業矢による玉分け工程とを連続的に行うので、玉入れにより環状空間に装填された複数の玉を一か所に集める玉集め工程を省略できる。したがって、玉軸受における玉配置作業の工数を削減して作業性を向上できる。また、玉集め工程での玉擦り動作をなくすことで、玉傷発生のリスクを低減できる。しかも、玉入れ工程から玉分け工程を連続的に行うことで、内輪と外輪の間に玉が保持される変形代がない玉軸受であっても簡単に組み立てできる。【００１２】
（７）  （１）〜（６）のいずれか一つに記載の玉配置方法によって、前記内輪と前記外輪との間の前記環状空間に前記玉が等間隔に配置された玉軸受を製造する玉軸受の製造方法。
この玉軸受の製造方法によれば、内輪と外輪との間の環状空間に玉を円周方向へ等間隔に配置した玉軸受を簡単に製造できる。【００１３】
（８）  内輪と外輪とを、前記内輪と前記外輪との間に環状空間を形成して保持させるワーク保持台と、  前記ワーク保持台に保持された前記内輪と前記外輪との間に形成される環状空間の円周方向に沿った一領域に、複数の玉を装填する玉入れ部と、
前記環状空間の前記一領域の円周方向外側に、装填した前記複数の玉を前記一領域内に留める流れ止め治具を配置する流れ止め機構と、
前記環状空間に前記流れ止め治具が配置された状態から、前記流れ止め治具が前記環状空間から抜き取られる際に、前記複数の玉間に、前記玉の数に応じて突設される複数の作業矢の先端を軸方向に順次挿入して、前記複数の玉を円周方向に等間隔に配置する玉分け部と、
を備える玉軸受の製造装置。
この玉軸受の製造装置によれば、玉入れ部によって環状空間の円周方向に沿った一領域に複数の玉を装填する玉入れ工程と、玉分け部の作業矢によって玉を円周方向に等間隔に配置する玉分け工程とを連続的に行える。これにより、玉入れ工程で環状空間に入れた玉を一か所に集める玉集め工程を省略できる。したがって、玉軸受における玉配置作業の工数を削減して作業性を向上できる。また、玉集め工程での玉擦り動作をなくすことで、玉傷発生のリスクを低減できる。しかも、玉入れから玉分けを連続的に行うことで、内輪と外輪の間に玉が保持される変形代がない玉軸受も簡単に組み立てることができる。【００１４】
（９）  前記外輪に対して前記内輪を前記一領域と反対側へ移動させ、前記環状空間を前記一領域において径方向へ広げる内輪移動機構を備える（８）に記載の玉軸受の製造装置。
この玉軸受の製造装置によれば、環状空間の一領域を径方向に広げることで、環状空間への玉入れを簡単に行うことができ、作業性をさらに向上できる。【００１５】
（１０）  前記ワーク保持台に保持された前記内輪と前記外輪の軸方向垂直面を傾斜させる傾斜動作機構を備える（８）又は（９）に記載の玉軸受の製造装置。
この玉軸受の製造装置によれば、環状空間の一領域に入れた玉が自重で下方側へ移動して順に配列される。これにより、玉入れ部による玉入れ作業を円滑に行うことができる。【００１６】
（１１）  前記流れ止め治具は、前記環状空間の円周方向に沿って湾曲し、且つ、前記環状空間への挿入方向に沿って窄まる板状に形成されている（８）〜（１０）のいずれか一つに記載の玉軸受の製造装置。
この玉軸受の製造装置によれば、環状空間の円周方向に沿って湾曲し、環状空間への挿入方向に沿って窄まる板状に形成された流れ止め治具によって、環状空間内の玉の移動を良好に規制できる。【００１７】
（１２）  前記流れ止め治具は、一対の側辺を有し、前記一対の側辺は、平面に展開した状態で直線状に形成され、且つ、前記環状空間に沿って湾曲させた状態で外側へ膨出する曲線状とされる（１１）に記載の玉軸受の製造装置。
この玉軸受の製造装置によれば、流れ止め治具の環状空間への挿し込み及び抜き取りの際に、環状空間内の玉に対して外側へ膨出する曲線状の側辺が滑らかに接触するので、流れ止め治具と玉との接触による玉傷発生を抑制できる。【００１８】
（１３）  内輪と外輪とを、前記内輪と前記外輪との間に環状空間を形成して保持させるワーク保持台と、
前記ワーク保持台に保持された前記外輪に対して前記内輪を移動させ、前記環状空間に径方向へ広がる一領域を形成する内輪移動機構と、
前記ワーク保持台に保持された前記内輪と前記外輪の軸方向垂直面を傾斜させる傾斜動作機構と、
前記環状空間の円周方向に沿った一領域に、複数の玉を装填する玉入れ部と、
前記環状空間の前記一領域の円周方向外側に、装填した前記複数の玉を前記一領域内に留める流れ止め治具を配置する流れ止め機構と、
前記環状空間に前記流れ止め治具が配置された状態から、前記流れ止め治具が前記環状空間から抜き取られる際に、前記複数の玉の間に、前記玉の数に応じて突設される複数の作業矢の先端を軸方向に順次挿入して、前記複数の玉を円周方向に等間隔に配置する玉分け部と、
を備える玉軸受の製造装置。
この玉軸受の製造装置によれば、玉入れ部によって環状空間の円周方向に沿った一領域に複数の玉を装填する玉入れ工程と、玉分け部の作業矢によって玉を円周方向に等間隔に配置する玉分け工程とを連続的に行うことができる。これにより、玉入れ工程で環状空間に入れた玉を一か所に集める玉集め工程を省略できる。したがって、玉軸受における玉配置作業の工数を削減して作業性を向上できる。また、玉集め工程での玉擦り動作をなくすことで、玉傷発生のリスクを低減できる。しかも、玉入れから玉分けを連続的に行うことで、内輪と外輪の間に玉が保持される変形代がない玉軸受であっても簡単に組み立てることができる。
また、内輪移動機構によって環状空間の一領域を径方向に広げることで、環状空間への玉入れを簡単に行うことができ、作業性をさらに向上できる。
さらに、傾斜動作機構によってワーク保持台に保持された内輪と外輪の軸方向垂直面を傾斜させることで、環状空間の一領域に入れた玉が自重で下方側へ移動して順に配列される。これにより、玉入れ部による玉入れ作業を円滑に行える。【００１９】
（１４）  （７）に記載の玉軸受の製造方法を用いる機械の製造方法。
この機械の製造方法によれば、内輪と外輪との間の環状空間に玉を円周方向へ等間隔に配置された玉軸受を用いた機械を簡単に製造できる。【００２０】
（１５）  （７）に記載の玉軸受の製造方法を用いる車両の製造方法。
この車両の製造方法によれば、内輪と外輪との間の環状空間に玉を円周方向へ等間隔に配置された玉軸受を用いた車両を簡単に製造できる。
【発明の効果】
【００２１】
本発明によれば、内外輪へ玉入れして等間隔に配置させる玉配置作業の作業性を向上させることができる。
【図面の簡単な説明】
【００２２】
【図１】本発明の実施形態に係る玉軸受の製造装置の構成を示す概略側面図である。
【図２】図１に示す玉軸受の製造装置の動作を示す概略側面図である。
【図３】玉軸受であるワークの斜視図である。
【図４】図４（Ａ）〜（Ｄ）は、流れ止め治具を示す図である。図４（Ａ）は正面図である。図４（Ｂ）は側面図である。図４（Ｃ）は下面図である。図４（Ｄ）は上面図である。
【図５】流れ止め治具の展開図である。
【図６】玉分け部の斜視図である。
【図７】ワークに対する流れ止め治具及び玉分け部の配置を説明する斜視図である。
【図８】玉配置作業を説明するフローチャートである。
【図９】図９（Ａ）および（Ｂ）は、玉入れ工程を説明する図である。図９（Ａ）は、玉を入れる前のワークの斜視図である。図９（Ｂ）は玉を入れた後のワークの斜視図である。
【図１０】図１０（Ａ）および（Ｂ）は、環状空間への玉の収容状態を示す図である。図１０（Ａ）は、内輪と外輪の間に玉が保持される変形代がないワークの平面図である。図１０（Ｂ）は、内輪と外輪の間に玉が保持される変形代のあるワークの平面図である。
【図１１】流れ止め工程を説明する、ワークと流れ止め治具の斜視図である。
【図１２】玉分け工程を説明するための、ワークと流れ止め治具と玉分け部の斜視図である。
【図１３】玉分け工程における玉の動きを説明する模式図である。
【図１４】玉分け工程によって玉が配置された状態を説明する模式図である。
【発明を実施するための形態】
【００２３】
以下、本発明の実施形態について、図面を参照して詳細に説明する。
図１は、本発明の実施形態に係る玉軸受の製造装置の構成を示す概略側面図である。図２は、図１に示す玉軸受の製造装置の動作を示す概略側面図である。
【００２４】
本実施形態に係る玉軸受の製造装置１００は、基台１３に回転軸１４を介して設置された玉配置ユニット１５を有する。玉配置ユニット１５は、ワーク保持台１７と、内輪移動機構１８と、玉入れ部１９と、傾斜動作機構２１と、流れ止め機構２３と、玉分け部２５と、を備える。
【００２５】
玉配置ユニット１５は、その上部に設けられたワーク保持台１７が水平に配置された水平状態（図１の状態）と、ワーク保持台１７が水平面に対して傾斜角θで傾いた傾斜状態（図２の状態）と、の間で、傾斜動作機構２１によって揺動される。
【００２６】
ワーク保持台１７は、玉配置ユニット１５の上部でワークＷを保持する。ワーク保持台１７は保持部４１を有する。この保持部４１には、上方からワークＷが嵌め込まれる。また、ワーク保持台１７には、保持部４１に近接及び離間する方向へ移動するロック部材４３が設けられる。ワークＷは、保持部４１に嵌め込まれた状態でロック部材４３により押し当てられて、ワーク保持台１７に固定される。
【００２７】
図３に示すように、ワークＷは、内輪１と、外輪３と、転動体である複数（本例では１３個）の玉７と、を有する。内輪１と外輪３との間の環状空間５に複数の玉７が円周方向に等間隔に配置される。玉７は、保持器（図示略）によって保持される。すなわち、ワークＷは、玉軸受９である。本構成の玉軸受の製造装置１００は、内輪１と外輪３との間の環状空間５に複数の玉７を入れて、複数の玉７を円周方向において等間隔に配置させる。
【００２８】
図１，図２に示す内輪移動機構１８は、内輪支持軸３９を有する。内輪支持軸３９は、ワーク保持台１７の保持部４１に保持されたワークＷの内輪１に、下方から挿入される。この内輪支持軸３９は、玉配置ユニット１５の傾斜動作と共に傾斜され、ワークＷの軸芯と常に同軸に配置される。
【００２９】
玉入れ部１９は、玉配置ユニット１５の上面に設けられた支持部４５に支持される。支持部４５は、玉配置ユニット１５の上面に立設された柱部４７と、柱部４７の上端からワーク保持台１７へ向かって延びるアーム部４９と、を有する。玉入れ部１９は、アーム部４９の先端に支持される。玉入れ部１９は、ワーク保持台１７の保持部４１に保持されたワークＷにおける、内輪１と外輪３との間の環状空間５（図３参照）に複数の玉７を挿入する。
【００３０】
流れ止め機構２３は、支持部４５のアーム部４９の先端に支持される。流れ止め機構２３は、ワーク保持台１７に対して昇降する流れ止め治具５１を備える。流れ止め治具５１は、下降駆動されることで、その先端部がワーク保持台１７の保持部４１に保持されたワークＷにおける内輪１と外輪３との間の環状空間５（図３参照）に挿入される。
【００３１】
流れ止め治具５１は、図４（Ａ）〜（Ｄ）に示すように、環状空間５の円周方向に沿って湾曲し、環状空間５への挿入方向（図４（Ａ），（Ｂ）の下方）に沿って窄まる板状に形成される。
【００３２】
図５は流れ止め治具５１の展開図である。
流れ止め治具５１は、平面に展開した状態で一対の側辺５５が直線状に形成される。この流れ止め治具５１は、環状空間５に沿って湾曲させた状態で、一対の側辺５５が外側へ膨出する曲線状となる。流れ止め治具５１は、図４（Ｃ）に示すように、その根元部分における円周方向の長さが、環状空間５に入れた玉７を一か所に集めた際に形成される空間部分の円周方向の長さよりも僅かに小さい。
【００３３】
図６は玉分け部２５の斜視図である。
玉分け部２５は、環状に形成された土台部６１と、長さが異なる複数の作業矢６３と、を有する。作業矢６３は、土台部６１に立設されており、円周方向に等間隔に配置される。玉分け部２５は、玉７の数と同数（本例では１３本）の作業矢６３を備える。これら作業矢６３の１本は、基準作業矢６３Ａとされており、他の作業矢６３は、基準作業矢６３Ａの周方向両側の対称位置に配置される。基準作業矢６３Ａは、両隣の作業矢６３よりも短い。基準作業矢６３Ａの周方向両側の対称位置に配置された作業矢６３は、基準作業矢６３Ａから離れるにしたがって軸長が次第に長くなっている。  
基準作業矢６３Ａの先端部は、平面形状である。基準作業矢６３Ａ以外の作業矢６３の先端部は、基準作業矢６３Ａから周方向に離れるにしたがって先端側に延びる傾斜面である。
基準作業矢６３Ａの周方向両側の対称位置に配置された作業矢６３は、互いに形状が同一とされているが、必ずしも同一でなくてもよい。
【００３４】
図７（Ａ）〜（Ｃ）はワークＷに対する流れ止め治具５１及び玉分け部２５の配置を説明する斜視図である。
流れ止め機構２３（図１，図２参照）の流れ止め治具５１と、玉分け部２５とは、ワーク保持台１７の保持部４１に保持されるワークＷを挟んだ上下に配置される。図１および図２の例の場合、ワークＷの上方に流れ止め治具５１が配置され、ワークＷの下方に玉分け部２５が配置される。そして、傾斜動作機構２１によってワーク保持台１７が傾いた傾斜状態（図２の状態）において、玉分け部２５の基準作業矢６３Ａが、ワークＷの傾斜の下方側となるように配置される。なお、ワークＷの上方に玉分け部２５が配置され、ワークＷの下方に流れ止め治具５１が配置されてもよい。
【００３５】
次に、上記の玉軸受の製造装置１００によってワークＷに玉入れして玉軸受を製造する場合について、図８に示すフローチャートに沿って工程毎に説明する。
【００３６】
（ワーク固定工程）
水平状態の玉配置ユニット１５に対して、搬送されるワークＷをワーク保持台１７の保持部４１に保持させる（ステップＳ１）。このとき、内輪１は、その内周に内輪支持軸３９が挿入されて支持され、外輪３は、ロック部材４３によって保持部４１に固定される。
【００３７】
（傾斜動作工程）
傾斜動作機構２１によって玉配置ユニット１５を、ワーク保持台１７が水平面に対して傾斜角θで傾いた傾斜状態とする（ステップＳ２）。このとき、内輪移動機構１８の内輪支持軸３９を玉配置ユニット１５の傾斜動作と共に傾斜させる。さらに、内輪移動機構１８の内輪支持軸３９の中心軸を、ワークＷの中心軸に対する直交面において傾斜の下方側（図２の左方側）に変位した位置に配置させる。このようにすると、外輪３中心に対して内輪１の中心が傾斜の下方側に偏心する。これにより、内輪１と外輪３との間の環状空間５は、傾斜の下方側が狭まり、傾斜の上方側が広がった状態となる。
【００３８】
（玉入れ工程）
図９（Ａ），（Ｂ）は玉入れ工程を説明する説明図である。
図９（Ａ）に示すように、ワーク保持台１７（図１，図２参照）に保持させた内輪１と外輪３との間の環状空間５に、玉入れ部１９から玉７を入れる（ステップＳ３）。このとき、環状空間５は、傾斜の上方側が広がった状態となっており、玉入れ部１９によって環状空間５へ玉７を容易かつ円滑に装填できる。また、玉７は自重により装填箇所に留まることなく左右へ転がって移動する。これにより、玉７を装填する際に、既に装填された玉７が邪魔にならない。そして、図９（Ｂ）に示すように、この環状空間５に入れた玉７は、傾斜の上方側で広くなった領域に集められた状態で収容される。つまり、環状空間５に入れられた玉７は、環状空間５の円周方向に沿った一領域に集められた状態で収容される。
【００３９】
（水平動作工程）
傾斜動作機構２１によって玉配置ユニット１５を、ワーク保持台１７が水平となる水平状態（図１の状態）に戻す（ステップＳ４）。このとき、内輪支持軸３９の中心軸をワークＷの軸芯と同軸となる位置に移動させる。これにより、外輪３及び内輪１の中心が一致され、環状空間５が円周方向に均等な隙間となる。
【００４０】
すると、図１０（Ａ）に示すように、環状空間５では、玉７が一領域に集まり、この一領域の円周方向外側が玉７のない空間部分となる。内輪１と外輪３の間に玉７が保持される変形代がないワークでは、この空間部分の領域αは、１８０°以上の範囲となる。なお、ワークＷが、内輪１と外輪３の溝に玉７が保持される変形代を有する場合、図１０（Ｂ）に示すように、一領域の円周方向外側における玉７が存在しない空間部分の領域αは、１８０°未満の範囲となる。
【００４１】
（流れ止め工程）
図１１は流れ止め工程を説明するワークＷと流れ止め治具５１の斜視図である。
ワークＷの環状空間５における玉７のない空間部分に、流れ止め機構２３の流れ止め治具５１を上方から内輪１及び外輪３の軸方向に沿って挿入する（ステップＳ５）。ここで、外輪３及び内輪１の中心を一致させると、一領域に集められていた玉７は、玉７のない空間部分へ転がって移動可能となる。しかし、環状空間５に流れ止め治具５１を挿入して配置することで、装填された玉７の移動を規制し、玉７を一領域内に留めることができる。この流れ止め治具５１の環状空間５への挿入動作は、玉配置ユニット１５を水平に戻すとともに内輪１を移動させ、外輪３と内輪１との中心を一致させる水平動作に合わせて実施する。また、玉配置ユニット１５を水平にした後に実施してもよい。
【００４２】
（玉分け工程）
図１２は玉分け工程を説明するためのワークＷと流れ止め治具５１と玉分け部２５の斜視図である。
環状空間５に流れ止め治具５１が配置された状態から、流れ止め治具５１を環状空間５から抜き取りながら、ワークＷに対して玉分け部２５を上昇させ、環状空間５に複数の作業矢６３を挿入する。これにより、環状空間５に配置された複数の玉７の間に、玉７の数に応じて突設される複数の作業矢６３の先端が軸方向に順次挿入され、複数の玉７を円周方向に等間隔に配置させる（ステップＳ６）。
【００４３】
図１３は玉分け工程における玉７の動きを説明する模式図である。
【００４４】
流れ止め治具５１および玉分け部２５の上昇速度は略同一である。したがって、流れ止め治具５１および玉分け部２５が上昇する際に、流れ止め治具５１と玉分け部２５との相対位置は殆ど変化しない。すなわち、流れ止め治具５１および玉分け部２５と、玉７と、の相対位置が変化する。
【００４５】
図１３の例では、環状空間５に配置させた流れ止め治具５１を抜き取りながら玉分け部２５の作業矢６３を環状空間５に挿し込む際の玉７の位置を、高さ位置Ｈ１〜Ｈ６で段階的に示している。高さ位置Ｈ１〜Ｈ６は、流れ止め治具５１および玉分け部２５に対する、玉７の相対位置を示すものである。
【００４６】
玉分け工程の開始時では、玉７と、流れ止め治具５１および玉分け部２５と、の相対位置が、高さ位置Ｈ１における位置関係となっている。つまり、流れ止め治具５１が環状空間５の玉７のない空間部分に挿し込まれた状態となっている。
【００４７】
流れ止め治具５１および玉分け部２５に対する玉７の相対位置が高さ位置Ｈ１となる際には、玉分け部２５の上昇に伴い、２本の最長の作業矢６３（図１３中、左右両端の２本の作業矢６３）の間に、玉７（図１０Ａにおける１３個の玉７のうち、周方向中央に位置する７番目の玉）が入り込む。そして、残りの１２個の玉７は、２本の最長の作業矢６３よりも流れ止め治具５１側へ押し出される。
【００４８】
なお、高さ位置Ｈ１〜Ｈ６における複数の玉６のうち、作業矢６３の周方向外側（図１３中、左右両側）に分けられた玉７は、図１３中の図示を省略した。
【００４９】
この状態から、流れ止め治具５１と玉分け部２５とが共に、図１３中矢印で示すように上昇する。
【００５０】
流れ止め治具５１および玉分け部２５に対する玉７の相対位置が高さ位置Ｈ１からＨ２となる際には、玉分け部２５の上昇によって、２番目に長い２本の作業矢６３（図１３中、左右両端から数えて２番目の２本の作業矢６３）が、図１３中の高さ位置Ｈ１の両端の玉７同士の間に入り込み、残りの１０個の玉７が流れ止め治具５１側へ押し出される。
【００５１】
流れ止め治具５１および玉分け部２５に対する玉７の相対位置が高さ位置Ｈ２からＨ３となる際には、３番目に長い２本の作業矢６３（図１３中、左右両端から数えて３番目の２本の作業矢６３）が玉７の間に入り込み、残りの８個の玉７が流れ止め治具５１側へ押し出される。
【００５２】
流れ止め治具５１および玉分け部２５に対する玉７の相対位置が高さ位置Ｈ３からＨ４となる際には、４番目に長い２本の作業矢６３（図１３中、左右両端から数えて４番目の２本の作業矢６３）が玉７の間に入り込み、残りの６個の玉７が流れ止め治具５１側へ押し出される。
【００５３】
流れ止め治具５１および玉分け部２５に対する玉７の相対位置が高さ位置Ｈ４からＨ５となる際には、５番目に長い２本の作業矢６３（図１３中、左右両端から数えて５番目の２本の作業矢６３）が玉７の間に入り込み、残りの４個の玉７が流れ止め治具５１側へ押し出される。
【００５４】
最後に、流れ止め治具５１および玉分け部２５に対する玉７の相対位置が高さ位置Ｈ５からＨ６となると、２本の最短の作業矢６３（図１３中、左右両端から数えて６番目の作業矢６３）が玉７の間に入り込み、残りの２個の玉７が流れ止め治具５１側へ押し出される。
【００５５】
このとき、高さ位置Ｈ５で流れ止め治具５１の一対の側辺５５に接していた２個の玉７が、基準作業矢６３Ａに接した状態となる。そして、これら２個の玉７は、基準作業矢６３Ａと、２本の最短の作業矢６３Ａと、の間に入り込む。
【００５６】
最終的には図１４に示すように、環状空間５に収容されていた各玉７の間に、玉分け部２５の作業矢６３がそれぞれ入り込み、複数の玉７が円周方向に等間隔に配置される。
【００５７】
その後、玉７を保持する保持器（図示略）を環状空間５に嵌め込むことで、玉７が均等に配置されて転動可能に保持された玉軸受とされる。
【００５８】
以上のように、本実施形態に係る玉軸受の玉配置方法によれば、環状空間５の円周方向に沿った一領域に複数の玉７を装填する玉入れ工程と、作業矢３６によって玉７を円周方向に等間隔に配置する玉分け工程と、を連続的に行う。したがって、玉入れ工程で環状空間５に入れた玉７を一か所に集める玉集め工程を省略できる。また、玉軸受における玉配置作業の工数を削減して作業性を向上できる。また、玉集め工程での玉擦り動作をなくすことで、玉傷発生のリスクを低減できる。しかも、玉入れ工程から玉分け工程を連続的に行うことで、内輪と外輪の間に玉が保持される変形代がない玉軸受であっても簡単に組み立てできる。
【００５９】
また、玉入れ工程では、外輪３に対して内輪１を一領域と反対側へ移動させ、環状空間５を一領域において径方向へ広げてから玉７を装填する。したがって、環状空間５への玉入れを円滑に行える。
【００６０】
しかも、流れ止め工程は、流れ止め治具５１を、内輪１及び外輪３の軸方向に沿って環状空間５に挿入する。したがって、一領域に集めて入れた玉７の移動を流れ止め治具５１で規制して玉７の散らばりを抑制できる。これにより、環状空間５に挿入した複数の玉７を散らすことなく、一か所に保持した状態で玉分けを行える。
【００６１】
また、玉入れ工程では、内輪１及び外輪３を水平面から一領域を上にして傾斜させる。したがって、環状空間５の一領域に入れた玉７が、その自重で下方側へ移動して順に配列される。これにより、玉入れ工程を円滑に行える。
【００６２】
また、玉入れ工程から玉分け工程までを、内輪１及び外輪３を水平搬送させずに連続して実施できる。したがって、水平搬送させる際の玉７の散らばりをなくすことができ、作業性の向上が図れる。
【００６３】
そして、上記の玉配置方法によって、内輪１と外輪３との間の環状空間５に玉７が等間隔に配置された玉軸受を製造する玉軸受の製造方法によれば、内輪１と外輪３との間の環状空間５に玉７を円周方向へ等間隔に配置した玉軸受を簡単に製造できる。
【００６４】
また、本実施形態に係る玉軸受の製造装置１００によれば、玉入れ部１９によって環状空間５の円周方向に沿った一領域に複数の玉７を装填する玉入れ工程と、玉分け部２５の作業矢３６によって玉７を円周方向に等間隔に配置する玉分け工程と、を連続的に行うことができる。これにより、玉入れ工程で環状空間５に入れた玉７を一か所に集める玉集め工程を省略できる。したがって、玉軸受における玉配置作業の工数を削減して作業性を向上できる。また、玉集め工程での玉擦り動作をなくすことで、玉傷発生のリスクを低減できる。しかも、玉入れ工程から玉分け工程を連続的に行うことで、内輪と外輪の間に玉が保持される変形代がない玉軸受であっても簡単に組み立てできる。
【００６５】
また、内輪移動機構１８によって、外輪３に対して内輪１を一領域と反対側へ移動させ、環状空間５を一領域において径方向へ広げることで、環状空間５への玉入れを簡単に行え、作業性をさらに向上できる。
【００６６】
しかも、傾斜動作機構２１によって、ワーク保持台１７に保持された内輪１と外輪３の軸方向垂直面を傾斜させることで、環状空間５の一領域に入れた玉７が自重で下方側へ移動して順に配列される。これにより、玉入れ部１９による玉入れ作業を円滑に行える。
【００６７】
また、流れ止め治具５１は、環状空間５の円周方向に沿って湾曲し、環状空間５への挿入方向に沿って窄まる板状に形成される。これにより、流れ止め治具５１によって、環状空間５内の玉７の移動を良好に規制できる。
【００６８】
また、流れ止め治具５１は、一対の側辺５５が、平面に展開した状態で直線状に形成され、環状空間５に沿って湾曲させた状態で外側へ膨出する曲線状とされる。したがって、流れ止め治具５１の環状空間５への挿し込み及び抜き取りの際に、環状空間５内の玉７に対して外側へ膨出する曲線状の一対の側辺５５が滑らかに接触するので、流れ止め治具５１と玉７との接触による玉傷発生を抑制できる。
【００６９】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００７０】
上記した転がり軸受の製造方法は、転がり軸受を備える各種の機械（器械等の動力が手動のものも含む）の製造にも適用可能である。例えば、レール、スライダー等の直動案内装置、ねじ軸、ナット等のボールねじ装置やねじ装置、直動案内軸受とボールねじとを組み合わせた装置やＸＹテーブル等のアクチュエータ、等の直動装置への適用が可能である。
また、ステアリングコラム、自在継手、中間ギア、ラックアンドピニオン、電動パワーステアリング装置、ウォーム減速機、トルクセンサ等の操舵装置への適用が可能である。
そして、上記機械、操舵装置等を含む車両、工作機械、住宅機器等、広く適用することができる。
これにより得られた機械、車両等によれば、従来よりも低コストで、且つ、高品位な構成にできる。
【００７１】
本出願は、２０１８年５月３０日出願の日本特許出願２０１８−１０３７３４に基づくものであり、その内容はここに参照として取り込まれる。
【符号の説明】
【００７２】
１  内輪
３  外輪
５  環状空間
７  玉
９  玉軸受
１７  ワーク保持台
１８  内輪移動機構
１９  玉入れ部
２１  傾斜動作機構
２３  流れ止め機構
２５  玉分け部
５１  流れ止め治具
５５  側辺
６３  作業矢
１００  玉軸受の製造装置
【図１】
2019230023.tif 000003
【図２】
2019230023.tif 000004
【図３】
2019230023.tif 000005
【図４】
2019230023.tif 000006
【図５】
2019230023.tif 000007
【図６】
2019230023.tif 000008
【図７】
2019230023.tif 000009
【図８】
2019230023.tif 000010
【図９】
2019230023.tif 000011
【図１０】
2019230023.tif 000012
【図１１】
2019230023.tif 000013
【図１２】
2019230023.tif 000014
【図１３】
2019230023.tif 000015
【図１４】
2019230023.tif 000016
【国際調査報告】
2019230023.tif 000017
2019230023.tif 000018
2019230023.tif 000019
2019230023.tif 000020